(57)【要約】  本出願の実施形態は通信技術分野に関し、通信方法およびデバイスを開示する。当該方法は、測定報告を報告するための条件を満たす、第１のセルの第１ビームグループについての情報が以前の測定報告に含まれる第１のセルのビームについての情報とは異なると端末が決定する段階と、第１の測定報告を端末が送信する段階であって、前記第１の測定報告は、第１ビームグループのビームの識別情報および信号品質を含むか、または、第１の測定報告は、第１ビームグループのビームの数量を含むか、または、第１の測定報告は、第１ビームグループのビームの識別情報を含む、送信する段階とを備える。本出願を実装することによって、端末は、条件を満たすビームについての情報を適時に基地局に報告してよい。それによって、当該条件を満たすビームに端末を適時にハンドオーバすることができ、端末のサービス中断を回避する。
2020515170.tif 000002
【特許請求の範囲】
【請求項１】
通信方法であって、
第１のセルの各ビームの信号品質を取得する段階と、
前記第１のセルの各ビームの前記信号品質が第１の事前設定閾値を下回るとき、前記第１のセルにおいて最も高い信号品質を有するビームの信号品質に基づいて前記第１のセルの信号品質を決定する段階と
を備える方法。
【請求項２】
前記第１のセルにおいて最も高い信号品質を有するビームの信号品質に基づいて前記第１のセルの信号品質を決定する前記段階は、
前記第１の事前設定閾値との差が最も小さい信号品質を有するＸ個のビームの信号品質に基づいて前記第１のセルの前記信号品質を決定する段階であって、前記Ｘ個のビームは前記第１のセルに属し、Ｘは０より大きい整数である、決定する段階を有する、
請求項１に記載の方法。
【請求項３】
Ｘは１に等しい、
請求項２に記載の方法。
【請求項４】
通信装置であって、
第１のセルの各ビームの信号品質を取得するよう構成されるユニットと、
前記第１のセルの各ビームの前記信号品質が第１の事前設定閾値を下回るとき、前記第１のセルにおいて最も高い信号品質を有するビームの信号品質に基づいて前記第１のセルの信号品質を決定するよう構成されるユニットと
を備える装置。
【請求項５】
前記第１のセルの各ビームの前記信号品質が第１の事前設定閾値を下回るとき、前記第１のセルにおいて最も高い信号品質を有するビームの信号品質に基づいて前記第１のセルの信号品質を決定するよう構成される前記ユニットは、具体的に、
前記第１の事前設定閾値との差が最も小さい信号品質を有するＸ個のビームの信号品質に基づいて前記第１のセルの前記信号品質を決定するよう構成され、前記Ｘ個のビームは前記第１のセルに属し、Ｘは０より大きい整数である、
請求項４に記載の装置。
【請求項６】
Ｘは１に等しい、
請求項５に記載の装置。
【請求項７】
通信方法であって、
ネットワークデバイスから指示情報を受信する段階であって、前記指示情報は、端末が報告する予定の測定報告がビーム識別子を保持することを示すために使用されるか、または、前記指示情報は、端末が報告する予定の測定報告がビーム識別子および前記ビームの信号品質を保持することを示すために使用される、受信する段階と、
前記指示情報に基づいて前記測定報告を送信する段階と
を備える方法。
【請求項８】
通信装置であって、
ネットワークデバイスから指示情報を受信するよう構成されるユニットであって、前記指示情報は、端末が報告する予定の測定報告がビーム識別子を保持することを示すために使用されるか、または、前記指示情報は、端末が報告する予定の測定報告がビーム識別子および前記ビームの信号品質を保持することを示すために使用される、ユニットと、
前記指示情報に基づいて前記測定報告を送信するよう構成されるユニットと
を備える装置。
【請求項９】
通信方法であって、
第１の数量に基づいてオフセットを決定する段階であって、前記第１の数量は、第１のセルの信号品質の決定に使用されるビームの数量である、決定する段階と、
前記オフセットに基づいて前記第１のセルの前記信号品質を決定する段階と
を備える方法。
【請求項１０】
第１の数量に基づいてオフセットを決定する前記段階は、
前記第１の数量に基づいて基本測定オフセットであるｄｅｌｔａの係数を決定する段階と、
前記係数に前記ｄｅｌｔａを乗じて前記第１の数量に対応する前記オフセットを取得する段階とを有する、
請求項９に記載の方法。
【請求項１１】
前記第１の数量に対応する前記オフセットに基づいて前記第１のセルの前記信号品質を決定する前記段階は、ビームに基づいて直接的に取得された信号品質を前記第１の数量に対応する前記オフセットを使用することによって調整して、前記第１のセルの前記信号品質を取得する段階を有する、
請求項９または１０に記載の方法。
【請求項１２】
前記第１のセルの前記信号品質を送信する段階をさらに備える、
請求項９から１１のいずれか一項に記載の方法。
【請求項１３】
前記ビームに基づいて直接的に取得された前記信号品質は、前記第１のセルの各ビームの信号品質が第１の事前設定閾値を下回るとき、前記第１のセルにおいて最も高い信号品質を有するビームの信号品質に基づいて取得される、
請求項９から１２のいずれか一項に記載の方法。
【請求項１４】
前記第１のセルにおいて最も高い信号品質を有する前記ビームは、前記第１の事前設定閾値との差が最も小さい信号品質を有するＸ個のビームであり、前記Ｘ個のビームは前記第１のセルに属し、Ｘは０より大きい整数である、
請求項１３に記載の方法。
【請求項１５】
Ｘは１に等しい、
請求項１４に記載の方法。
【請求項１６】
通信装置であって、
第１の数量に基づいてオフセットを決定するよう構成されるユニットであって、前記第１の数量は、第１のセルの信号品質の決定に使用されるビームの数量である、ユニットと、
前記オフセットに基づいて前記第１のセルの前記信号品質を決定するよう構成されるユニットと
を備える装置。
【請求項１７】
第１の数量に基づいてオフセットを決定するよう構成される前記ユニットは、具体的に、
前記第１の数量に基づいて基本測定オフセットであるｄｅｌｔａの係数を決定し、
前記係数に前記ｄｅｌｔａを乗じて前記第１の数量に対応する前記オフセットを取得するよう構成される、
請求項１６に記載の装置。
【請求項１８】
前記オフセットに基づいて前記第１のセルの前記信号品質を決定するよう構成される前記ユニットは、具体的に、ビームに基づいて直接的に取得された信号品質を前記第１の数量に対応する前記オフセットを使用することによって調整して、前記第１のセルの前記信号品質を取得するよう構成される、
請求項１６または１７に記載の装置。
【請求項１９】
前記第１のセルの前記信号品質を送信するよう構成されるユニットをさらに備える、
請求項１６から１８のいずれか一項に記載の装置。
【請求項２０】
前記ビームに基づいて直接的に取得された前記信号品質は、前記第１のセルの各ビームの信号品質が第１の事前設定閾値を下回るとき、前記第１のセルにおいて最も高い信号品質を有するビームの信号品質に基づいて取得される信号品質である、
請求項１６から１９のいずれか一項に記載の装置。
【請求項２１】
前記第１のセルにおいて最も高い信号品質を有する前記ビームは、前記第１の事前設定閾値との差が最も小さい信号品質を有するＸ個のビームであり、前記Ｘ個のビームは前記第１のセルに属し、Ｘは０より大きい整数である、
請求項２０に記載の装置。
【請求項２２】
Ｘは１に等しい、
請求項１４に記載の装置。
【請求項２３】
命令を備えるコンピュータ可読記憶媒体であって、コンピュータ上で前記命令が実行されると、前記コンピュータは請求項１から３のいずれか一項に記載の方法、請求項７に記載の方法、または請求項９から１５のいずれか一項に記載の方法を行う、
コンピュータ可読記憶媒体。
【請求項２４】
メモリおよびプロセッサを備える端末であって、前記端末は、請求項１から３のいずれか一項に記載の方法、請求項７に記載の方法、または請求項９から１５のいずれか一項に記載の方法を実装するよう構成される、
端末。
【請求項２５】
請求項２４に記載の端末と、前記端末と通信する基地局とを備える通信システム。
【請求項２６】
コンピュータプログラムであって、前記プログラムが実行されると、前記コンピュータは、請求項１から３のいずれか一項に記載の方法、請求項７に記載の方法、または請求項９から１５のいずれか一項に記載の方法を実装する、
コンピュータプログラム。
【発明の詳細な説明】
【技術分野】
【０００１】
本出願は、２０１７年３月２４日に中国特許庁に出願された「通信方法およびデバイス」と題する中国特許出願第２０１７１０１８４８７９．３号に基づく優先権を主張し、当該出願はその全体が参照により本明細書に組み込まれる。
【０００２】
本出願は、通信技術分野に関し、特には、通信方法およびデバイスに関する。
【背景技術】
【０００３】
高速および膨大なデータサービス量などの側面に関してモバイル通信技術が発展するにつれて、通信伝送中の周波数帯の需要が増大してきている。センチメートル波（ｃｅｎｔｉｍｅｔｅｒ  ｗａｖｅ）およびミリメートル波（ｍｉｌｌｉｍｅｔｅｒ  ｗａｖｅ）を含む高周波数帯域における周波数帯は大量の可用帯域幅を有しているので、今後の通信における大容量および高帯域幅についての要求を満たす重要なリソースとなる。
【０００４】
モバイル通信技術の著しい発展は、高まるユーザの要求を伴う。ユーザがより大きな容量を要求する場合、より高い品質とマルチアンテナ技術とでデータの送受信を行うことがより大きな関心を集め、それゆえビームフォーミングが浮上する。
【０００５】
ビームのカバレッジエリアが小さく、端末が移動中であるときに、適時に測定報告を報告するための要求を満たすべく、解決手段が目下緊急に必要である。
【発明の概要】
【０００６】
本出願の実施形態は、通信方法および関連するデバイスを提供する。端末は、条件を満たすビームについての情報を適時に基地局に報告してよい。それによって、当該条件を満たすビームに端末を適時にハンドオーバすることができ、端末のサービス中断を回避する。
【０００７】
第１態様によると、本出願は通信方法を提供する。当該方法は、以下の段階を備える。測定報告を報告するための条件を満たす、第１のセルの第１ビームグループについての情報が、以前の測定報告に含まれる第１のセルのビームについての情報とは異なると端末が決定する段階。
【０００８】
端末は、第１の測定報告をネットワークデバイスに送信する。ここで、第１の測定報告は、第１ビームグループのビームの識別情報および第１ビームグループのビームの信号品質を含むか、または、第１の測定報告は、第１ビームグループのビームの数量を含むか、または、第１の測定報告は、第１ビームグループのビームの識別情報を含む。
【０００９】
可能な設計において、測定報告を報告するための条件を満たす、第１のセルの第１ビームグループについての情報が、以前の測定報告に含まれる第１のセルのビームについての情報とは異なると端末が決定することは、測定報告を報告するための条件を満たす、第１のセルの第１ビームグループのビームの識別情報が、以前の測定報告に含まれる第１のセルのビームの識別情報とは異なると端末が決定することを意味してよく、および／または、測定報告を報告するための条件を満たす、第１のセルの第１ビームグループのビームの数量が、以前の測定報告に含まれる第１のセルのビームの数量とは異なると端末が決定することを意味してよい。
【００１０】
ビームの識別情報は、ビーム識別子、ビームのアンテナポート識別子、ビームの基準信号、およびビームインデックスの少なくとも１つを含む。
【００１１】
測定報告を報告するための条件は、第１のセルの信号品質の決定に使用されるビームの数量に関連する報告パラメータを含み、報告パラメータは、信号品質閾値、ヒステリシス、トリガ時間、および報告のためのオフセットの少なくとも１つを含む。
【００１２】
本出願のこの実施形態を実装することによって、測定報告を報告するための条件を満たすビームについての情報が以前の測定報告におけるビームについての情報とは異なることを端末が測定により取得したとき、端末は、ビームについての測定された情報をネットワークデバイスに報告してよく、それによって、端末は当該条件を満たすビームに適時にハンドオーバされて、端末のサービス中断が回避される。
【００１３】
可能な設計において、端末が送信する第１の測定報告は、第１ビームグループが属する第１のセルの信号品質をさらに含んでよい。具体的には、第１のセルの信号品質の決定方式は、第１のセルにおいて最も高い信号品質を有する最大Ｍ個のビームの信号品質に基づいて、端末が第１のセルの信号品質を決定すること、または、第１のセルにおいて信号品質が第１の事前設定閾値より高いビームの信号品質に基づいて、端末が第１のセルの信号品質を決定することを含んでよい。
【００１４】
第１のセルの各ビームの信号品質が第１の事前設定閾値を下回るとき、従来技術では端末は第１のセルの信号品質を最小値に設定する。しかしながら、この方式では第１のセルの信号品質を忠実に反映させることはできず、ネットワークデバイスがセルの信号品質を比較するときに比較的大きな誤差をもたらすことになる。その結果、ネットワークデバイスは不正確なモビリティ制御を行い、端末のサービス中断の原因となる。
【００１５】
可能な設計において、第１のセルの各ビームの信号品質が第１の事前設定閾値を下回るとき、任意選択的な実装例では、第１の事前設定閾値との差が最も小さい信号品質を有するＸ個のビームの信号品質に基づいて、端末は第１のセルの信号品質を決定してよく、それによって、第１のセルの信号品質を正確に反映させ、ネットワークデバイスが正確なモビリティ制御を行うのを補助し、端末のサービス中断を回避する。Ｘは、ネットワークデバイスによって設定されてよく、または予め規定されてよい。また、Ｘの値は０より大きい整数である。
【００１６】
あるいは、第１のセルの各ビームの信号品質が第１の事前設定閾値を下回るとき、別の任意選択的な実装例では、ターゲットビームの信号品質との差が第２の事前設定閾値未満であるＹ個のビームの信号品質に基づいて、端末は第１のセルの信号品質を決定してよい。ここで、ターゲットビームは、第１の事前設定閾値との差が最も小さい信号品質を有するビームである。
【００１７】
可能な設計において、端末は、オフセットに基づいて第１のセルの信号品質を決定してよい。ここで、オフセットは、第１の数量に基づいて決定される。
【００１８】
可能な設計において、端末は、ネットワークデバイスが送信した第１の指示情報を受信し、端末は、第１の測定報告を送信する。ここで、第１の測定報告は、第１ビームグループのビームの識別情報および信号品質を含むか、または、第１の測定報告は、第１ビームグループのビームの数量を含むか、または、第１の測定報告は、第１ビームグループのビームの識別情報を含む。
【００１９】
本出願のこの実施形態において、端末はネットワーク構成に基づいてビームの測定情報を報告し、それによって、ネットワークデバイスはより正確にハンドオーバ決定を行い得る。
【００２０】
第２態様によると、本出願は別の通信方法を提供する。当該方法は、第１のセルの各ビームの信号品質を取得する段階と、第１のセルの各ビームの信号品質が第１の事前設定閾値を下回るとき、第１の事前設定閾値との差が最も小さい信号品質を有するＸ個のビームの信号品質に基づいて第１のセルの信号品質を決定する段階であって、Ｘ個のビームは第１のセルに属し、Ｘは０より大きい整数である、決定する段階、または、ターゲットビームの信号品質と差が第２の事前設定閾値未満であるＹ個のビームの信号品質に基づいて第１のセルの信号品質を決定する段階であって、ターゲットビームは第１のセルに属し、第１の事前設定閾値との差が最も小さい信号品質を有するビームであり、Ｙ個のビームは第１のセルに属し、Ｙは０より大きい整数である、決定する段階とを備える。
【００２１】
本出願において、端末は、第１の事前設定閾値との差が最も小さい信号品質を有するＸ個のビームの信号品質に基づいて第１のセルの信号品質を決定してよく、それによって、第１のセルの信号品質を正確に反映させ、ネットワークデバイスが正確なモビリティ制御を行うのを補助し、端末のサービス中断を回避する。
【００２２】
第３態様によると、本出願は別の通信方法を提供する。当該方法は、端末が送信した第１の測定報告をネットワークデバイスが受信する段階であって、測定報告を報告するための条件を満たす、第１のセルの第１ビームグループについての情報が、以前の測定報告に含まれる第１のセルのビームについての情報とは異なると端末が決定したとき、第１の測定報告が端末によって送信される、受信する段階を備える。第１の測定報告は、第１ビームグループのビームの識別情報および第１ビームグループのビームの信号品質を含むか、または、第１の測定報告は、第１ビームグループのビームの数量を含むか、または、第１の測定報告は、第１ビームグループのビームの識別情報を含む。
【００２３】
別の可能な設計において、ネットワークデバイスは、第１のセルの最初の信号品質と第１のセルの信号品質の決定に使用されるビームの第１の数量とを受信する。
【００２４】
ネットワークデバイスは、第１のセルの最初の信号品質およびオフセットを参照して第１のセルの信号品質を決定する。ここで、オフセットは第１の数量に基づいて決定される。
【００２５】
別の可能な設計において、ネットワークデバイスは第１の指示情報を端末に送信する。ここで、第１の指示情報は、端末が報告する予定の第１の測定報告が第１ビームグループのビームの識別情報および信号品質を含むことを示すために使用されるか、または、第１の指示情報は、当該第１の測定報告が第１ビームグループのビームの数量を含むことを示すために使用されるか、または、第１の指示情報は、当該第１の測定報告が第１ビームグループのビームの識別情報を含むことを示すために使用される。
【００２６】
別の可能な設計において、ネットワークデバイスは第２の指示情報を端末に送信する。ここで、第２の指示情報は、端末が報告する予定の第１の測定報告に含まれる識別情報の最大の数量、および／または、当該第１の測定報告に含まれるビームの信号品質値の最大の数量を示すために使用される。
【００２７】
第４態様によると、本出願は端末を提供し、当該端末は、第１態様または第２態様に係る通信方法を行うよう構成されるモジュールまたはユニットを備える。
【００２８】
第５態様によると、本出願は別の端末を提供し、当該端末は、プロセッサと通信モジュールとメモリとを備える。メモリは、命令を記憶するよう構成される。プロセッサは、メモリ内の命令を読み出して、第１態様または第２態様に係る通信方法を行うよう構成される。
【００２９】
第６態様によると、本出願はネットワークデバイスを提供し、当該ネットワークデバイスは、第３態様に係る通信方法を行うよう構成されるモジュールまたはユニットを備える。
【００３０】
第７態様によると、本出願は別のネットワークデバイスを提供し、当該ネットワークデバイスは、プロセッサと通信モジュールとメモリとを備える。メモリは、命令を記憶するよう構成される。プロセッサは、メモリ内の命令を読み出して、第３態様に係る通信方法を行うよう構成される。
【００３１】
第８態様によると、本出願は通信システムを提供し、当該通信システムは、端末およびネットワークデバイスを備える。ここで、当該端末は、第４態様または第５態様で説明した端末であり、当該ネットワークデバイスは、第３態様で説明したネットワークデバイスである。
【００３２】
第９態様によると、本出願はコンピュータ記憶媒体を提供する。当該コンピュータ記憶媒体は、上述の端末によって使用されるコンピュータソフトウェア命令を記憶するよう構成され、当該コンピュータソフトウェア命令は、上述の態様を行うよう設計されるプログラムを有する。
【００３３】
第１０態様によると、本出願は別のコンピュータ記憶媒体を提供する。当該コンピュータ記憶媒体は、上述の端末によって使用されるコンピュータソフトウェア命令を記憶するよう構成され、当該コンピュータソフトウェア命令は、上述の態様を行うよう設計されるプログラムを有する。
【００３４】
本出願の実施形態の実装の有益な効果は、次の通りである。
【００３５】
条件を満たすビームについての情報が以前の測定報告におけるビームについての情報とは異なることを端末が測定により取得したとき、端末は、ビームについての測定された情報をネットワークデバイスに報告してよく、それによって、ネットワークデバイスが当該端末のためにビームを構成するのを補助し、端末のサービス中断を回避する。
【図面の簡単な説明】
【００３６】
本出願の実施形態における技術的解決手段をより明確に説明するべく、実施形態の説明に必要な添付図面を以下で簡潔に説明する。
【００３７】
【図１】本出願の一実施形態に係る通信システムの概略アーキテクチャ図である。
【００３８】
【図２】本出願の一実施形態に係る通信方法の概略フローチャートである。
【００３９】
【図３】本出願の一実施形態に係る別の通信システムの概略アーキテクチャ図である。
【００４０】
【図４】本出願の一実施形態に係る別の通信方法の概略フローチャートである。
【００４１】
【図５】本出願の一実施形態に係る別の通信方法の概略フローチャートである。
【００４２】
【図６】本出願の一実施形態に係る別の通信方法の概略フローチャートである。
【００４３】
【図７】本出願の一実施形態に係る端末の概略構造図である。
【００４４】
【図８】本出願の一実施形態に係る別の端末の概略構造図である。
【００４５】
【図９】本出願の一実施形態に係る別の端末の概略構造図である。
【００４６】
【図１０】本出願の一実施形態に係る別の端末の概略構造図である。
【００４７】
【図１１】本出願の一実施形態に係るネットワークデバイスの概略構造図である。
【００４８】
【図１２】本出願の一実施形態に係る別の端末の概略構造図である。
【００４９】
【図１３】本出願の一実施形態に係る別のネットワークデバイスの概略構造図である。
【発明を実施するための形態】
【００５０】
本出願の実施形態における添付図面を参照して、本出願の実施形態における技術的解決手段を以下で明確かつ十分に説明する。
【００５１】
図１を参照すると、図１は、本出願の一実施形態の通信システムの概略アーキテクチャ図である。通信システム１００は、ネットワークデバイス１０１および端末１０２を備える。
【００５２】
ネットワークデバイス１０１は、新無線（Ｎｅｗ  Ｒａｄｉｏ、ＮＲ）技術を使用するネットワークデバイスであってよく、３Ｇ（例えば、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、ワイドバンド符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、および時分割同期符号分割多重アクセス（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ））システムのノードＢ（ＮｏｄｅＢ、ＮＢ）であってよく、または、ロングタームエボリューション（Ｌｏｎｇ  Ｔｅｒｍ  Ｅｖｏｌｕｔｉｏｎ、ＬＴＥ）システムの発展型ノードＢ（ｅｖｏｌｖｅｄ  Ｎｏｄｅ  Ｂ、ｅＮＢ）であってよい。加えて、本出願のこの実施形態では、ネットワークデバイス１０１はさらに、アレイアンテナとして構成される各送信アンテナの方向（またはチャネル）のゲイン値を制御して複数のビームを形成してよい。ネットワークデバイス１０１は、ビームを使用することによって端末１０２と通信する。さらに、ネットワークデバイス１０１は、ＮＲシステムにおいて、限定はされないが、基地局（Ｂａｓｅ  Ｓｔａｔｉｏｎ、ＢＳ）および発展型基地局などを含む他の呼称を有してよい。
【００５３】
ネットワークデバイス１０１とデータ通信を行い得るデバイスはいずれも端末１０２とみなされてよい。端末１０２は、移動局、アクセス端末、加入者ユニット、加入者局、移動局、リモート局、リモート端末、モバイルデバイス、ユーザ端末、端末、無線通信デバイス、ユーザエージェント、ユーザ装置、または他のユーザ機器と称されてよい。端末１０２はさらに、携帯電話、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、車載デバイス、ウェアラブルデバイス、今後の５Ｇネットワークの移動局、または、今後の発展型公衆陸上移動体ネットワーク（Ｐｕｂｌｉｃ  Ｌａｎｄ  Ｍｏｂｉｌｅ  Ｎｅｔｗｏｒｋ、ＰＬＭＮ）ネットワークの端末デバイスなどであってよい。本出願のこの実施形態において、端末１０２は、ビームを使用してネットワークデバイス１０１が送信した信号を測定し、測定結果をネットワークデバイス１０１に報告して、ネットワークデバイス１０１がハンドオーバ決定を行うのを補助してよい。
【００５４】
本出願の応用シナリオでは、ネットワークデバイス１０１は、ビームに基づいて、基準信号および／または同期信号（ｓｙｎｃｈｒｏｎｉｚａｔｉｏｎ  ｓｉｇｎａｌ、ＳＳ）を端末１０２に送信する。基準信号は、チャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）または同様のものであってよい。端末１０２は、サービングセル、同一周波数内隣接セル、異周波数間隣接セル、またはＲＡＴ間隣接セルの基準信号および／または同期信号を測定し、測定結果をネットワークデバイス１０１に報告する。それによって、ネットワークデバイス１０１は、端末１０２のために最も高い信号品質を有するビームまたはセルを構成する。
【００５５】
実施形態１
【００５６】
図２を参照すると、本出願のこの実施形態は、通信方法の概略フローチャートを提供する。当該方法は、以下の段階を備えるが、それらに限定されない。
【００５７】
Ｓ２０１：測定報告を報告するための条件を満たす、第１のセルの第１ビームグループについての情報が、以前の測定報告に含まれる第１のセルのビームについての情報とは異なると端末が決定する。
【００５８】
測定報告は、複数のビームグループについての情報を含んでよく、ビームグループはそれぞれ一セルに対応していることが理解されよう。本明細書において、第１ビームグループは、セル、例えば第１のセル、に属する。次に、端末は、第１のセルの第１ビームグループについての情報を、以前の測定報告における第１のセルのビームについての情報と比較する。
【００５９】
本出願のこの実施形態において、第１ビームグループは、少なくとも１つのビームを有してよい。第１ビームグループについての情報は、第１ビームグループのビームの識別情報および／または第１ビームグループのビームの数量を含んでよい。
【００６０】
段階Ｓ２０１は、測定報告を報告するための条件を満たす、第１のセルの第１ビームグループのビームの識別情報が以前の測定報告に含まれる第１のセルのビームの識別情報とは異なると端末が決定する段階、または、測定報告を報告するための条件を満たす、第１のセルの第１ビームグループのビームの数量が以前の測定報告に含まれる第１のセルのビームの数量とは異なると端末が決定する段階、または、測定報告を報告するための条件を満たす、第１のセルの第１ビームグループのビームの識別情報が以前の測定報告に含まれる第１のセルのビームの識別情報とは異なり、第１ビームグループのビームの数量が以前の測定報告に含まれる第１のセルのビームの数量とは異なると端末が決定する段階であってよい。本明細書において、「異なる」とは、「一致していない」または「全く異なる」を含む。
【００６１】
例えば、第１ビームグループのビームの識別情報が以前の測定報告に含まれるビームの識別情報とは異なる、とは、第１ビームグループのビームの識別情報が以前の測定報告に含まれるビームの識別情報と一致していないことを意味する。例えば、以前の測定報告に含まれるビームの識別情報がｂｅａｍ１−１、ｂｅａｍ１−２、およびｂｅａｍ１−３であり、測定報告を報告するための条件を満たす第１ビームグループのビームの識別情報がｂｅａｍ１−１、ｂｅａｍ１−２、およびｂｅａｍ１−４であると端末が決定することが想定される。第１ビームグループのビームの識別情報ｂｅａｍ１−４は、以前の測定報告に同一の対応する識別情報を有しない。この場合、端末は、測定報告を報告するための条件を満たす第１ビームグループのビームの識別情報が以前の測定報告に含まれるビームの識別情報とは異なると決定する。あるいは、以前の測定報告に含まれるビームの識別情報がｂｅａｍ１−１、ｂｅａｍ１−２、およびｂｅａｍ１−３であり、測定報告を報告するための条件を満たす第１ビームグループのビームの識別情報がｂｅａｍ１−１およびｂｅａｍ１−２であると端末が決定する。以前の測定報告におけるビームの識別情報ｂｅａｍ１−３は、第１ビームグループのビームの識別情報に同一の対応する識別情報を有しない。この場合、端末は、測定報告を報告するための条件を満たす第１ビームグループのビームの識別情報が以前の測定報告に含まれるビームの識別情報とは異なると決定する。あるいは、以前の測定報告に含まれるビームの識別情報がｂｅａｍ１−１、ｂｅａｍ１−２、およびｂｅａｍ１−３であり、測定報告を報告するための条件を満たす第１ビームグループのビームの識別情報がｂｅａｍ１−４、ｂｅａｍ１−５、およびｂｅａｍ１−６であると端末が決定する。第１ビームグループのビームの識別情報はいずれも、以前の測定報告に同一の対応する識別情報を有しない。この場合、端末は、測定報告を報告するための条件を満たす第１ビームグループのビームの識別情報が以前の測定報告に含まれるビームの識別情報とは異なると決定する。
【００６２】
ビームの識別情報は、ビーム識別子、ビームのアンテナポート識別子、ビームの基準信号、またはビームのインデックスなどを含んでよく、ビームを一意に特定するために使用される。本出願のこの実施形態では、ビームは、文字、数字、またはシンボルの複数の組み合わせ、例えば、ｂｅａｍ１−１、ｂｅａｍ１−２、またはｂｅａｍ１−３、で示されてよい。
【００６３】
図３を参照すると、図３は、本出願のこの実施形態に係る別の通信システムの概略アーキテクチャ図である。図３に示すように、時点Ｔ１において端末が報告する予定の測定報告は、ｂｅａｍ１−１、ｂｅａｍ１−２、およびｂｅａｍ１−３という合計３つのビームについての情報を含む。端末が移動するにつれて、端末は時点Ｔ２において、測定報告を報告するための条件を満たすビームがｂｅａｍ１−４、ｂｅａｍ１−５、およびｂｅａｍ１−６という合計３つのビームであると測定により取得する。端末は、測定報告を報告するための条件を満たす、時点Ｔ２において測定されるビームの識別情報が時点Ｔ１における測定報告に含まれるビームの識別情報とは異なると決定してよい。ｂｅａｍ１−１、ｂｅａｍ１−２、ｂｅａｍ１−３、ｂｅａｍ１−４、ｂｅａｍ１−５、およびｂｅａｍ１−６というビームは同一セルに属し、図３の２つの基地局は同じ基地局であり、異なる時点における位置の例に過ぎないことに留意されたい。
【００６４】
本明細書において測定報告を報告するための条件はネットワークデバイスによって設定されてよいことが理解されよう。測定報告を報告するための条件は、品質閾値およびヒステリシスなど、例えば、ビームの信号品質が品質閾値より高い、といったことを含んでよい。
【００６５】
Ｓ２０２：端末が第１の測定報告をネットワークデバイスに送信する。ここで、第１の測定報告は、第１ビームグループのビームの識別情報と、第１ビームグループのビームの信号品質とを含むか、または、第１の測定報告は、第１ビームグループのビームの数量を含むか、または、第１の測定報告は、第１ビームグループのビームの識別情報を含む。
【００６６】
本出願のこの実施形態を実装することによって、測定報告を報告するための条件を満たすビームについての情報が以前の測定報告におけるビームについての情報とは異なることを端末が測定により取得したとき、端末は、ビームについての測定された情報をネットワークデバイスに報告してよく、それによって、端末は当該条件を満たすビームに適時にハンドオーバされて、端末のサービス中断が回避される。図３を参照すると、時点Ｔ２において条件を満たすビームについての情報が時点Ｔ１における測定報告に含まれるビームについての情報とは異なると端末が測定により取得したとき、端末は、時点Ｔ２において測定されたビームについての情報、ｂｅａｍ１−４、ｂｅａｍ１−５、およびｂｅａｍ１−６をネットワークデバイスに送信して、ネットワークデバイスがハンドオーバ決定を行うのを補助してよく、これによって、ネットワークデバイスが、依然として時点Ｔ１において報告されたビーム情報、ｂｅａｍ１−１、ｂｅａｍ１−２、およびｂｅａｍ１−３におけるビームの中からビームを選択し、端末のためにビームを構成することを防ぎ、端末のサービス中断を回避する。
【００６７】
端末が送信する第１の測定報告は、第１ビームグループが属する第１のセルの信号品質をさらに含んでよいことが理解されよう。第１のセルの信号品質を決定する具体的な方式については、以下の実施形態２の説明を参照されたい。
【００６８】
第１の測定報告が第１ビームグループのビームの識別子または数量のみを含む場合、ハンドオーバ決定は、以前に報告された第１のセルの信号品質または現在報告されている第１のセルの信号品質をさらに参照して行われてよいことに留意されたい。具体的なハンドオーバ決定が、以下の実施形態における関連する説明を参照して、または別の方式で行われてよい。このことは、本出願のこの実施形態において限定されない。
【００６９】
実施形態２
【００７０】
この実施形態は、セルの信号品質を決定するための方法を提供する。当該方法は、セルの信号品質を決定する必要があるいかなるシナリオにも適用可能である。
【００７１】
任意選択的に、実施形態２の方法は、他の実施形態から独立していてよく、または、実施形態１、実施形態３、または実施形態４と組み合わされてもよい。
【００７２】
図４に示すように、セルの信号品質を決定するための方法は、以下の段階を備えてよい。
【００７３】
Ｓ４０１：端末が、第１のセルの各ビームの信号品質を取得する。
【００７４】
Ｓ４０２ａ：第１のセルにおいて最も高い信号品質を有する最大Ｍ個のビームの信号品質に基づいて、第１のセルの信号品質を決定する。
【００７５】
Ｍは、１以上の正の整数であり、Ｍは、設定されても、または予め規定されてもよい。
【００７６】
任意選択的に、端末は、信号品質の最も高いものから順に最大Ｍ個のビームの信号品質の平均値を算出し、算出した平均値をセルの信号品質として使用してよい。
【００７７】
例えば、セルのビーム、ｂｅａｍ１−４、ｂｅａｍ１−５、およびｂｅａｍ１−６、の信号品質は、それぞれ２ｄＢ、１２ｄＢ、および９ｄＢであり、Ｍは２に等しい。この場合、端末は、信号品質の最も高いものから順に２つのビーム、ｂｅａｍ１−５およびｂｅａｍ１−６、の信号品質の平均値を（１２＋９）／２＝１０．５ｄＢのように算出し、平均値１０．５ｄＢをセルの信号品質として使用する。
【００７８】
任意選択的に、端末は、代替的に以下の方式で第１のセルの信号品質を決定してよい。
【００７９】
Ｓ４０２ｂ：第１のセルにおいて信号品質が第１の事前設定閾値より高い一ビームの信号品質に基づいて第１のセルの信号品質を決定する。任意選択的に、端末は、信号品質が第１の事前設定閾値より高いビームの信号品質の平均値をセルの信号品質として使用してよい。本明細書において第１の事前設定閾値は、ネットワークデバイスによって設定されてよく、または、予め規定されてよいことが理解されよう。このことは、本出願のこの実施形態において限定されない。
【００８０】
例えば、第１のセルのビーム、ｂｅａｍ１−４、ｂｅａｍ１−５、およびｂｅａｍ１−６、の信号品質は、それぞれ２ｄＢ、１２ｄＢ、および９ｄＢであり、第１の事前設定閾値は５ｄＢである。この場合、端末は、信号品質が第１の事前設定閾値５ｄＢより高いビーム、ｂｅａｍ１−５およびｂｅａｍ１−６、の信号品質の平均値を（１２＋９）／２＝１０．５ｄＢのように算出し、平均値１０．５ｄＢを第１のセルの信号品質として使用する。
【００８１】
第１のセルの各ビームの信号品質が第１の事前設定閾値を下回るとき、従来技術では端末は第１のセルの信号品質を最小値に設定する。しかしながら、この方式では第１のセルの信号品質を忠実に反映させることはできず、ネットワークデバイスがセルの信号品質を比較するときに比較的大きな誤差をもたらすことになる。その結果、ネットワークデバイスは不正確なモビリティ制御を行い、端末のサービス中断の原因となる。
【００８２】
Ｓ４０２ｃ：第１のセルの各ビームの信号品質が第１の事前設定閾値を下回るとき、第１の事前設定閾値との差が最も小さい信号品質を有するＸ個のビームの信号品質に基づいて、端末は第１のセルの信号品質を決定してよく、それによって、第１のセルの信号品質を正確に反映させ、ネットワークデバイスが正確なモビリティ制御を行うのを補助し、端末のサービス中断を回避する。Ｘは、ネットワークデバイスによって設定されてよく、または予め規定されてよい。また、Ｘの値は０より大きい整数である。
【００８３】
例えば、第１のセルのビーム、ｂｅａｍ１−４、ｂｅａｍ１−５、およびｂｅａｍ１−６、の信号品質は、それぞれ２ｄＢ、１２ｄＢ、および９ｄＢであり、第１の事前設定閾値は１５ｄＢであり、第１のセルの各ビームの信号品質は１５ｄＢを下回る。Ｘが１に等しいとき、端末は、第１の事前設定閾値１５ｄＢとの差が最も小さいビームの信号品質１２ｄＢを第１のセルの信号品質として使用してよい。
【００８４】
Ｓ４０２ｄ：第１のセルの各ビームの信号品質が第１の事前設定閾値を下回るとき、ターゲットビームの信号品質との差が第２の事前設定閾値未満であるＹ個のビームの信号品質に基づいて、端末は第１のセルの信号品質を決定してよい。ここで、ターゲットビームとは、第１の事前設定閾値との差が最も小さい信号品質を有するビームである。Ｙは、ネットワークデバイスによって設定されてよく、または予め規定されてよい。また、Ｙの値は０より大きい整数である。ターゲットビームは、特定の条件に基づいて決定されてよい。例えば、最も高い信号品質を有するビームをターゲットビームとして使用してよい。
【００８５】
例えば、第１のセルのビーム、ｂｅａｍ１−４、ｂｅａｍ１−５、およびｂｅａｍ１−６、の信号品質は、それぞれ２ｄＢ、１２ｄＢ、および９ｄＢであり、第１の事前設定閾値は１５ｄＢであり、第２の事前設定閾値は４ｄＢである。第１のセルの各ビームの信号品質が１５ｄＢを下回っていることが分かるであろう。第１のセルにおいて最も高い信号品質を有するビーム、ｂｅａｍ１−５、がターゲットビームとして設定されてよい。この場合、端末は、ターゲットビームであるｂｅａｍ１−５の信号品質との差が第２の事前設定閾値４ｄＢ未満であるビームの信号品質、１２ｄＢおよび９ｄＢ、に基づいて、セルの信号品質を決定してよい。
【００８６】
任意選択的に、端末は、ターゲットビームの信号品質との差が第２の事前設定閾値未満であるビームの信号品質の平均値を取得し、当該平均値をセルの信号品質として使用してよい。
【００８７】
上述の例を引き続き使用する。端末は、ターゲットビームであるｂｅａｍ１−５の信号品質との差が第２の事前設定閾値４ｄＢ未満であるビームの信号品質が１２ｄＢおよび９ｄＢであると決定する。この場合、端末は、信号品質１２ｄＢおよび９ｄＢの平均値、すなわち（１２＋９）／２＝１０．５ｄＢを取得し、平均値１０．５ｄＢをセルの信号品質として使用してよい。
【００８８】
本出願のこの実施形態では、ロールバックメカニズムを使用することによってセルの信号品質をできる限り正確に反映させて、ネットワークデバイスが不正確なモビリティ判定を行うことを防ぐ。
【００８９】
Ｓ４０３：端末が、第１のセルの決定された信号品質をネットワークデバイスに送信する。
【００９０】
実施形態３
【００９１】
ハンドオーバ決定の堅牢性を改善するべく、本出願のさらに別の実施形態が通信方法を提供する。当該方法は、ハンドオーバ決定を必要とするいかなるシナリオにも適用可能である。
【００９２】
任意選択的に、実施形態３の方法は、他の実施形態から独立していてよく、または、実施形態１、実施形態２、または実施形態４と組み合わされてもよい。
【００９３】
図５に示すように、当該通信方法は以下の段階を備えてよい。
【００９４】
Ｓ５０１：端末が、第１のセルの信号品質の決定に使用されるビームの第１の数量を取得する。
【００９５】
Ｓ５０２：端末が、オフセットに基づいて第１のセルの信号品質を決定する。ここで、オフセットは、第１の数量に基づいて決定される。
【００９６】
第１の数量とオフセットとの間には特定の対応関係が存在する。当該対応関係は、端末に対してネットワークデバイスによって設定されるか、ネットワークデバイスと端末との間でネゴシエートされるか、または、通信プロトコルにおいて予め規定されてよい。
【００９７】
任意選択的に、当該対応関係は、明示的なものであっても、または暗示的なものであってもよい。
【００９８】
具体的には、明示的な関係とは、オフセットと第１の数量との間に直接的な対応関係が存在することを意味する。例えば、第１の数量が５未満であるとき、オフセットは１であり、第１の数量が５以上であるとき、オフセットは２である。
【００９９】
暗示的な関係とは、第１の数量に基づいて基本測定オフセットであるｄｅｌｔａの係数を決定して、さらにオフセットを取得することを意味する。基本測定オフセットであるｄｅｌｔａは、端末に対してネットワークデバイスによって設定されるか、ネットワークデバイスと端末との間でネゴシエートされるか、または通信プロトコルにおいて予め規定されてよい。
【０１００】
任意選択的に、ｄｅｌｔａの係数は、第１の数量であってよい。例えば、基本測定オフセットであるｄｅｌｔａはネットワークデバイスによって設定され、第１の数量は４である。この場合、ｄｅｌｔａの係数は４であり、オフセットは４×ｄｅｌｔａである。
【０１０１】
上述の方式でオフセットが取得された後、ビームに基づいて直接的に取得された第１のセルの信号品質は調整されてよい。
【０１０２】
例えば、ビームに基づいて直接的に取得された第１のセルの信号品質は１０．５ｄＢであり、第１の数量は２であり、５未満の第１の数量に対応するオフセットは２である。この場合、端末は、セルの最終的な信号品質がＱ＝１０．５＋２であると決定する。あるいは、第１の数量は４であり、基本測定オフセットであるｄｅｌｔａは０．６であり、オフセットは４×０．６である。この場合、端末は、セルの最終的な信号品質がＱ＝１０．５＋２．４であると決定する。
【０１０３】
Ｓ５０３：端末が、第１のセルの信号品質をネットワークデバイスに報告する。
【０１０４】
本出願のこの実施形態では、端末は、最終的に決定されたセルの信号品質をネットワークデバイスに送信することに留意されたい。任意選択的に、代替的に、セルの信号品質の調整がネットワークデバイスによって実装されてよい。
【０１０５】
例えば、Ｓ５０２は行われなくてよいが、Ｓ５０３において第１のセルの信号品質をネットワークデバイスに報告するとき、端末は、さらに第１の数量をネットワークデバイスに報告してよい。それによって、ネットワークデバイスは、Ｓ５０２で説明した方法と同様の方法にしたがって、報告された第１のセルの信号品質を調整してよい。
【０１０６】
任意選択的に、Ｓ５０２およびＳ５０３において説明した方法と同様の方法にしたがって、他のいくつかのパラメータも端末またはネットワークデバイスにおいて調整されてよい。上述のパラメータは、信号品質閾値、ヒステリシス、トリガ時間、および報告のためのオフセットの少なくとも１つを含んでよい。パラメータが異なれば、異なる基本オフセット、またはオフセットと第１の数量との間の異なる対応関係を有し得ることが理解されよう。本出願のこの実施形態において、１つずつ例を挙げることはしない。
【０１０７】
本出願のこの実施形態では、第１の数量を参照して上述のパラメータを調整することによって、ハンドオーバ決定の堅牢性を改善することができる。
【０１０８】
上述の各実施形態において、端末は、測定報告を使用することによってビームの信号品質および／またはセルの信号品質をネットワークデバイスに報告してよい。
【０１０９】
実施形態４
【０１１０】
本出願のこの実施形態は通信方法を提供する。任意選択的に、実施形態４の方法は、他の実施形態から独立していてよく、または、実施形態１、実施形態２、または実施形態３と組み合わされてもよい。
【０１１１】
図６に示すように、当該方法は以下の段階を備えてよい。
【０１１２】
Ｓ６０１：端末が、ネットワークデバイスが送信した第１の指示情報を受信する。
【０１１３】
第１の指示情報は、端末が報告する予定の測定報告がビームの測定情報を保持する必要があることを示すために使用されてよい。
【０１１４】
任意選択的に、第１の指示情報は、別の報告条件パラメータと合わせて送信されても、または別個に送信されてもよい。端末は、第１の指示情報を他の報告条件パラメータと組み合わせて使用してよい。
【０１１５】
ビームの測定情報は、ビームの識別情報およびビームの信号品質か、またはビームの数量か、またはビームの識別情報を含むが、それらに限定されない。
【０１１６】
例えば、測定報告を報告するための条件を満たすビームは４つあり、４つのビームの識別情報はｂｅａｍ１−４、ｂｅａｍ１−５、ｂｅａｍ１−６、およびｂｅａｍ１−７であり、４つのビームの信号品質は２ｄＢ、１２ｄＢ、９ｄＢ、および１０ｄＢである。第１の指示情報は、測定報告がビームの識別情報とビームの信号品質とを保持する必要があることを示す。この場合、端末は、４つの識別情報、ｂｅａｍ１−４、ｂｅａｍ１−５、ｂｅａｍ１−６、およびｂｅａｍ１−７、と、対応する４つの信号品質値２ｄＢ、１２ｄＢ、９ｄＢ、および１０ｄＢとを測定報告によってネットワークデバイスに送信する。あるいは、第１の指示情報は、測定報告がビームの数量を保持する必要があることを示す。この場合、端末は、測定報告を報告するための条件を満たすビームの数量４を測定報告によってネットワークデバイスに送信する。あるいは、第１の指示情報は、測定報告がビームの識別情報を保持する必要があることを示す。この場合、端末は、４つの識別情報、ｂｅａｍ１−４、ｂｅａｍ１−５、ｂｅａｍ１−６、およびｂｅａｍ１−７、をネットワークデバイスに送信する。
【０１１７】
任意選択的に、端末は、ネットワークデバイスが送信した第２の指示情報を受信する。第２の指示情報は、第１ビームグループのビームの最大の数量Ｚを示すために使用される。第１ビームグループの意味および決定方式については、上述の実施形態における関連する説明を参照されたい。詳細についてここで再度説明はしない。
【０１１８】
任意選択的に、第２の指示情報は、別の報告条件パラメータおよび／または第１の指示情報と合わせて送信されても、または別個に送信されてもよい。端末は、第２の指示情報を他の報告条件パラメータおよび／または第１の指示情報と組み合わせて使用してよい。
【０１１９】
測定報告において端末によって保持されるビーム識別子の最大の数量は、第２の指示情報を使用することによって限定され得る。Ｚは、測定中に使用されるビームの数量と異なっていても、または同じであってもよい。
【０１２０】
Ｓ６０２：端末が、第１の測定報告を送信する。ここで、第１の測定報告は、第１ビームグループのビームの識別情報および信号品質を含むか、または第１の測定報告は第１ビームグループのビームの数量を含むか、または、第１の測定報告は、第１ビームグループのビームの識別情報を含む。
【０１２１】
本出願のこの実施形態において、端末はネットワーク構成に基づいてビームの測定情報を報告し、それによって、ネットワークデバイスはより正確にハンドオーバ決定を行い得る。
【０１２２】
実施形態４で説明した通信方法が、ハンドオーバ決定を必要とするいかなるシナリオにも適用可能であることが理解されよう。任意選択的に、実施形態４の方法は、他の実施形態から独立していてよく、または、他の実施形態と組み合わされてもよい。
【０１２３】
端末は、実施形態の段階の一部または全部を行ってよいことが理解されよう。これらの段階またはオペレーションは一例に過ぎない。本出願のこの実施形態において、他のオペレーションまたはオペレーションの変形例がさらに行われてよい。
【０１２４】
実施形態５
【０１２５】
本出願のこの実施形態は通信方法を提供する。ネットワークデバイスは、端末が送信した第１の測定報告を受信する。ここで、測定報告を報告するための条件を満たす、第１のセルの第１ビームグループについての情報が、以前の測定報告に含まれる第１のセルのビームについての情報とは異なると端末が決定したとき、第１の測定報告が端末によって送信される。第１の測定報告は、第１ビームグループのビームの識別情報および第１ビームグループのビームの信号品質を含むか、または、第１の測定報告は、第１ビームグループのビームの数量を含むか、または、第１の測定報告は、第１ビームグループのビームの識別情報を含む。
【０１２６】
別の可能な設計において、ネットワークデバイスは、第１のセルの最初の信号品質と第１のセルの信号品質の決定に使用されるビームの第１の数量とを受信する。ネットワークデバイスは、第１のセルの最初の信号品質およびオフセットを参照して第１のセルの信号品質を決定する。ここで、オフセットは第１の数量に基づいて決定される。
【０１２７】
別の可能な設計において、ネットワークデバイスは第１の指示情報を端末に送信する。ここで、第１の指示情報は、端末が報告する予定の第１の測定報告が第１ビームグループのビームの識別情報および信号品質を含むことを示すために使用されるか、または、第１の指示情報は、当該第１の測定報告が第１ビームグループのビームの数量を含むことを示すために使用されるか、または、第１の指示情報は、当該第１の測定報告が第１ビームグループのビームの識別情報を含むことを示すために使用される。
【０１２８】
別の可能な設計において、ネットワークデバイスは第２の指示情報を端末に送信する。ここで、第２の指示情報は、端末が報告する予定の第１の測定報告に含まれる識別情報の最大の数量、および／または、第１の測定報告に含まれるビームの信号品質値の最大の数量を示すために使用される。
【０１２９】
本出願のこの実施形態において、第１のセルの最初の信号品質およびオフセットに基づいてネットワークデバイスが第１のセルの信号品質を決定するための方法と、第１の測定報告、第１の指示情報、および第２の指示情報の意味とについては、上述の実施形態１、実施形態３、および実施形態４を参照されたい。詳細についてここで再度説明はしない。
【０１３０】
実施形態６
【０１３１】
本出願のこの実施形態は端末を提供する。端末は、本出願の上述の実施形態で説明した方法における端末の機能を実装してよい。
【０１３２】
任意選択的に、図７に示すように、端末７００は、第１の通信ユニット７０１および第１の処理ユニット７０２を備えてよい。
【０１３３】
第１の処理ユニット７０２は、測定報告を報告するための条件を満たす、第１のセルの第１ビームグループについての情報が以前の測定報告に含まれる第１のセルのビームについての情報とは異なると決定するよう構成される。
【０１３４】
第１の通信ユニット７０１は、第１の測定報告を送信するよう構成される。ここで、第１の測定報告は、第１ビームグループのビームの識別情報および信号品質を含むか、または、第１の測定報告は第１ビームグループのビームの数量を含むか、または、第１の測定報告は、第１ビームグループのビームの識別情報を含む。
【０１３５】
任意選択的に、第１の通信ユニット７０１はさらに、ネットワークデバイスが送信した第１の指示情報および／または第２の指示情報を受信するよう構成される。
【０１３６】
本出願のこの実施形態において説明した端末７００の機能ユニットの機能および実装例と、関連するパラメータの意味およびその取得方式とについては、上述の実施形態１の対応する端末の関連する説明の参照が望まれることに留意されたい。詳細についてここで再度説明はしない。
【０１３７】
任意選択的に、本出願のこの実施形態は別の端末を提供する。図８に示すように、端末８００は、第２の通信ユニット８０１および第２の処理ユニット８０２を備えてよい。
【０１３８】
第２の通信ユニット８０１は、第１のセルの各ビームの信号品質を取得するよう構成される。
【０１３９】
第２の処理ユニット８０２は、第２の通信ユニット８０１によって取得される第１のセルのビームの信号品質のうち最も高い信号品質を有する最大Ｍ個のビームの信号品質に基づいて、第１のセルの信号品質を決定するよう構成される。
【０１４０】
あるいは、第２の処理ユニット８０２はさらに、第１のセルの各ビームの信号品質が第１の事前設定閾値を下回るとき、第２の通信ユニット８０１によって取得される第１のセルのビームの信号品質のうち、第１の事前設定閾値との差が最も小さい信号品質を有するＸ個のビームの信号品質に基づいて、第１のセルの信号品質を決定するよう構成される。
【０１４１】
あるいは、第２の処理ユニット８０２はさらに、第１のセルの各ビームの信号品質が第１の事前設定閾値を下回るとき、ターゲットビームの信号品質との差が第２の事前設定閾値未満であるＹ個のビームの信号品質に基づいて、第１のセルの信号品質を決定するよう構成される。
【０１４２】
本出願のこの実施形態において説明した端末８００の機能ユニットの機能および実装例と、関連するパラメータの意味およびその取得方式とについては、上述の実施形態２の対応する端末の関連する説明の参照が望まれることに留意されたい。詳細についてここで再度説明はしない。
【０１４３】
任意選択的に、本出願のこの実施形態は別の端末を提供する。図９に示すように、端末９００は、第３の通信ユニット９０１および第３の処理ユニット９０２を備えてよい。
【０１４４】
第３の通信ユニット９０１は、第１のセルの信号品質の決定に使用されるビームの第１の数量を取得するよう構成される。
【０１４５】
第３の処理ユニット９０２は、オフセットに基づいて第１のセルの信号品質を決定するよう構成される。ここで、オフセットは、第３の通信ユニット９０１によって取得される第１の数量に基づいて決定される。
【０１４６】
第３の通信ユニット９０１はさらに、第３の処理ユニット９０２が決定した第１のセルの信号品質をネットワークデバイスに報告するよう構成される。
【０１４７】
本出願のこの実施形態において説明した端末９００の機能ユニットの機能および実装例と、関連するパラメータの意味およびその取得方式とについては、上述の実施形態３の対応する端末の関連する説明の参照が望まれることに留意されたい。詳細についてここで再度説明はしない。
【０１４８】
【０１４９】
任意選択的に、本出願のこの実施形態は別の端末を提供する。図１０に示すように、端末１０００は、受信ユニット１００１および送信ユニット１００２を備えてよい。
【０１５０】
受信ユニット１００１は、ネットワークデバイスが送信した第１の指示情報を受信するよう構成される。送信ユニット１００２は、第１の指示情報に基づいて第１の測定報告を送信するよう構成される。第１の指示情報に基づいて第１の測定報告を送信する方式の詳細については、実施形態４を参照されたい。詳細についてここで再度説明はしない。
【０１５１】
本出願のこの実施形態において説明した端末１０００の機能ユニットの機能については、上述の実施形態４の対応する端末の関連する説明の参照が望まれることに留意されたい。詳細についてここで再度説明はしない。
【０１５２】
方法の実施形態で説明したように、実施形態１から実施形態４は、独立して実装されるか、または組み合わされてよく、本出願のこの実施形態の端末の通信ユニットまたは処理ユニットに含まれ得る機能もまた組み合わされてよいことが理解されよう。例えば、第１の通信ユニット７０１が、第２の通信ユニット、第３の通信ユニット、受信ユニット、および送信ユニットのうちの１または複数のユニットの機能も実装してよく、第１の処理ユニットが、第２の処理ユニットおよび第３の処理ユニットの機能も実装してよいか、または、第２の通信ユニットが、第１の通信ユニット、第３の通信ユニット、受信ユニット、および送信ユニットのうちの１または複数のユニットの機能も実装してよい、などのようになる。本出願のこの実施形態において、１つずつ例を挙げることはしない。
【０１５３】
実施形態７
【０１５４】
本出願のこの実施形態はネットワークデバイスを提供する。ネットワークデバイス１１００は、本出願の上述の実施形態で説明した方法におけるネットワークデバイスの機能を実装してよい。
【０１５５】
図１１に示すように、ネットワークデバイスは、通信ユニット１１０１および処理ユニット１１０２を備えてよい。
【０１５６】
通信ユニット１１０１は、端末が送信した第１の測定報告を受信するよう構成される。ここで、測定報告を報告するための条件を満たす、第１のセルの第１ビームグループについての情報が、以前の測定報告に含まれる第１のセルのビームについての情報とは異なると端末が決定したとき、第１の測定報告が端末によって送信される。第１の測定報告は、第１ビームグループのビームの識別情報および第１ビームグループのビームの信号品質を含むか、または、第１の測定報告は、第１ビームグループのビームの数量を含むか、または、第１の測定報告は、第１ビームグループのビームの識別情報を含む。
【０１５７】
任意選択的に、通信ユニット１１０１はさらに、第１のセルの最初の信号品質と第１のセルの信号品質の決定に使用されるビームの第１の数量とを受信するよう構成される。
【０１５８】
処理ユニット１１０２は、第１のセルの最初の信号品質およびオフセットを参照して第１のセルの信号品質を決定するよう構成される。ここで、オフセットは第１の数量に基づいて決定される。
【０１５９】
任意選択的に、通信ユニット１１０１はさらに、第１の指示情報を端末に送信するよう構成される。ここで、第１の指示情報は、端末が報告する予定の第１の測定報告が第１ビームグループのビームの識別情報および信号品質を含むことを示すために使用されるか、または、第１の指示情報は、当該第１の測定報告が第１ビームグループのビームの数量を含むことを示すために使用されるか、または、第１の指示情報は、当該第１の測定報告が第１ビームグループのビームの識別情報を含むことを示すために使用される。
【０１６０】
任意選択的に、通信ユニット１１０１はさらに、第２の指示情報を端末に送信するよう構成される。ここで、第２の指示情報は、端末が報告する予定の第１の測定報告に含まれる識別情報の最大の数量、および／または、当該第１の測定報告に含まれるビームの信号品質値の最大の数量を示すために使用される。
【０１６１】
本出願のこの実施形態において説明したネットワークデバイス１１００の機能ユニットの機能については、上述の実施形態５の対応するネットワークデバイスの関連する説明の参照が望まれることに留意されたい。詳細についてここで再度説明はしない。
【０１６２】
【０１６３】
図１２は、本出願の別の実施形態に係る端末１２００を示す。端末１２００は、プロセッサ１２０１とメモリ１２０２と通信モジュール１２０３とを備える。
【０１６４】
メモリ１２０２は、ランダムアクセスメモリ（英語：ｒａｎｄｏｍ  ａｃｃｅｓｓ  ｍｅｍｏｒｙ、略称ＲＡＭ）、リードオンリメモリ（英語：ｒｅａｄ−ｏｎｌｙ  ｍｅｍｏｒｙ、略称ＲＯＭ）、または、消去可能プログラマブルリードオンリメモリ（英語：ｅｒａｓａｂｌｅ  ｐｒｏｇｒａｍｍａｂｌｅ  ｒｅａｄ−ｏｎｌｙ  ｍｅｍｏｒｙ、略称ＥＰＲＯＭ）を含むが、それらに限定されない。メモリ１２０２は、関連するプログラムコードおよび関連するデータを記憶するよう構成される。
【０１６５】
プロセッサ１２０１は、１または複数の中央処理装置（英語：ｃｅｎｔｒａｌ  ｐｒｏｃｅｓｓｉｎｇ  ｕｎｉｔ、略称ＣＰＵ）であってよい。プロセッサ１２０１が１つのＣＰＵであるとき、ＣＰＵは、シングルコアＣＰＵであってよく、またはマルチコアＣＰＵであってもよい。
【０１６６】
第１の実装例において、端末１２００のプロセッサ１２０１は、メモリ１２０２に記憶されたプログラムコードを読み出して以下のオペレーションを行う。
【０１６７】
プロセッサ１２０１は、測定報告を報告するための条件を満たす、第１のセルの第１ビームグループについての情報が以前の測定報告に含まれる第１のセルのビームについての情報とは異なると決定するよう構成される。
【０１６８】
通信モジュール１２０３は、第１の測定報告を送信するよう構成される。ここで、第１の測定報告は、第１ビームグループのビームの識別情報および信号品質を含むか、または、第１の測定報告は第１ビームグループのビームの数量を含むか、または、第１の測定報告は、第１ビームグループのビームの識別情報を含む。
【０１６９】
具体的には、プロセッサ１２０１は、測定報告を報告するための条件を満たす、第１のセルの第１ビームグループのビームの識別情報が以前の測定報告に含まれる第１のセルのビームの識別情報とは異なると決定するよう構成される。
【０１７０】
および／または、
【０１７１】
プロセッサ１２０１は、測定報告を報告するための条件を満たす、第１のセルの第１ビームグループのビームの数量が以前の測定報告に含まれる第１のセルのビームの数量とは異なると決定するよう構成される。
【０１７２】
ビームの識別情報は、ビーム識別子、ビームのアンテナポート識別子、ビームの基準信号、およびビームインデックスの少なくとも１つを含む。
【０１７３】
第１の測定報告は、第１のセルの信号品質をさらに含んでよい。
【０１７４】
プロセッサ１２０１はさらに、オフセットに基づいて第１のセルの信号品質を決定するよう構成される。ここで、オフセットは、第１のセルの信号品質の決定に使用されるビームの数量に対応している。
【０１７５】
測定報告を報告するための条件は、第１のセルの信号品質の決定に使用されるビームの数量に関連する報告パラメータを含み、報告パラメータは、信号品質閾値、ヒステリシス、トリガ時間、および報告のためのオフセットの少なくとも１つを含む。
【０１７６】
通信モジュール１２０３はさらに、ネットワークデバイスが送信した第１の指示情報を受信するよう構成される。ここで、第１の指示情報は、第１の測定報告が第１ビームグループのビームの識別情報および信号品質を含むことを示すために使用されるか、または、第１の指示情報は、第１の測定報告が第１ビームグループのビームの数量を含むことを示すために使用されるか、または、第１の指示情報は、第１の測定報告が第１ビームグループのビームの識別情報を含むことを示すために使用される。
【０１７７】
通信モジュール１２０３はさらに、ネットワークデバイスが送信した第２の指示情報を受信するよう構成される。ここで、第２の指示情報は、第１の測定報告に含まれる識別情報の最大の数量、および／または当該第１の測定報告に含まれるビームの信号品質値の最大の数量を示すために使用される。
【０１７８】
別の実装例において、端末１２００のプロセッサ１２０１は、メモリ１２０２に記憶されたプログラムコードを読み出して以下のオペレーションを行う。
【０１７９】
通信モジュール１２０３は、第１のセルの各ビームの信号品質を取得するよう構成される。
【０１８０】
プロセッサ１２０１は、第１のセルの各ビームの信号品質が第１の事前設定閾値を下回るとき、第１の事前設定閾値との差が最も小さい信号品質を有するＸ個のビームの信号品質に基づいて第１のセルの信号品質を決定することであって、Ｘ個のビームは第１のセルに属し、Ｘは０より大きい整数である、決定することか、または、ターゲットビームの信号品質との差が第２の事前設定閾値未満であるＹ個のビームの信号品質に基づいて第１のセルの信号品質を決定することであって、ターゲットビームは第１のセルに属し、第１の事前設定閾値との差が最も小さい信号品質を有するビームであり、Ｙ個のビームは第１のセルに属し、Ｙは０より大きい整数である、決定することを行うよう構成される。
【０１８１】
端末１２００の機能モジュールの機能については、図２から図６に示す実施形態の対応する端末の関連する説明の参照が望まれることに留意されたい。詳細についてここで再度説明はしない。任意選択的に、プロセッサ１２０１は、第１の処理ユニット、第２の処理ユニット、および第３の処理ユニットのうちの１または複数のユニットの機能を実装するよう構成されてよく、通信モジュール１２０３は、第１の通信ユニット、第２の通信ユニット、第３の通信ユニット、受信ユニット、および送信ユニットのうちの１または複数のユニットの機能を実装するよう構成されてよい。本出願において提供されるいくつかの実施形態では、開示の装置および方法は他の方式で実装されてよいことが理解されよう。例えば、説明した装置の実施形態は一例に過ぎない。例えば、ユニットの分割は、論理機能の分割に過ぎず、実際の実装例では他の分割であってもよい。例えば、複数のユニットまたはコンポーネントが、別のシステムに組み合わされ、もしくは統合されてよく、または、いくつかの特徴が無視され、もしくは実行されなくてもよい。加えて、表示または説明された相互結合または直接結合または通信接続は、いくつかののインタフェースを使用して実装されてよい。装置間またはユニット間の間接結合または通信接続は、電子的形態、機械的形態、または他の形態で実装されてよい。
【０１８２】
別個の部分として説明されたユニットは、物理的に分かれていてもいなくてもよい。また、ユニットとして表示された部分は、物理的なユニットであってもなくてもよく、１か所に配置されてもよく、または、複数のネットワークユニットに分散されてもよい。実施形態の解決手段の目的を達成するべく、ユニットの一部または全部が実際の要求に基づいて選択されてよい。
【０１８３】
加えて、本出願の実施形態の機能ユニットが１つの処理ユニットに統合されてよく、または、当該ユニットはそれぞれ物理的に単独で存在してよく、または、２もしくはそれより多くのユニットが１つのユニットに統合されてよい。上述の統合されたユニットは、ハードウェアの形態で実装されてよく、または、ソフトウェア機能ユニットにハードウェアを加えた形態で実装されてよい。
【０１８４】
上述のソフトウェア機能の一部が記憶ユニットに記憶されてよい。記憶ユニットは、コンピュータデバイス（これはパーソナルコンピュータ、サーバ、もしくはネットワークデバイスであってよい）またはプロセッサ（ｐｒｏｃｅｓｓｏｒ）が本出願の実施形態において説明した方法の段階の一部を行うことができるようにするために使用される命令を含む。記憶ユニットは、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、および電気的消去可能プログラマブルリードオンリメモリ（ＥＥＰＲＯＭ）などの１または複数のメモリを含む。記憶ユニットは、単独で存在してよく、または、プロセッサと統合されてよい。
【０１８５】
当業者であれば明確に理解し得るように、説明を簡便かつ簡潔にするという目的で、上述の機能モジュールの分割は説明のための一例として使用されている。実際の応用では、上述の機能は、さまざまな機能モジュールに割り当てられ、要求に基づいて実装され得る。すなわち、装置の内部構造がさまざまな機能モジュールに分割されて、上述の機能の全部または一部が実装される。上述の装置の詳細な動作プロセスについては、上述の方法の実施形態の対応するプロセスを参照されたい。詳細についてここで再度説明はしない。
【０１８６】
当業者であれば理解し得るように、本出願における「第１」および「第２」などの通し番号は、説明および区別の便宜を図るためだけに使用しているのであり、本出願の実施形態の範囲を限定する意図はない。
【０１８７】
当業者であれば理解し得るように、上述のプロセスの通し番号は、本出願の実施形態における実行順序を意味してはいない。プロセスの実行順序は、プロセスの機能および内部論理に基づいて決定されるべきであり、本出願の実施形態の実装例に係るプロセスに対するいかなる限定とも解釈されるべきではない。
【０１８８】
上述の実施形態の全部または一部は、ソフトウェア、ハードウェア、ファームウェア、またはこれらの任意の組み合わせを使用することによって実装されてよい。実施形態の実装にソフトウェアが使用されるとき、実施形態は完全にまたは部分的にコンピュータプログラムプロダクトの形態で実装されてよい。コンピュータプログラムプロダクトは、１または複数のコンピュータ命令を含む。コンピュータプログラム命令がコンピュータ上にロードされ実行されるとき、本発明の実施形態において説明された手順または機能が全てまたは部分的に生成される。コンピュータは、汎用コンピュータ、専用コンピュータ、コンピュータネットワーク、または別のプログラム可能装置であってよい。コンピュータ命令はコンピュータ可読記憶媒体に記憶されてよく、または、あるコンピュータ可読記憶媒体から別のコンピュータ可読記憶媒体に伝送されてよい。例えば、コンピュータ命令は、有線（例えば、同軸ケーブル、光ファイバ、またはデジタル加入者線（ＤＳＬ））方式または無線（例えば、赤外線、電波またはマイクロ波）方式で、あるウェブサイト、コンピュータ、サーバ、またはデータセンタから別のウェブサイト、コンピュータ、サーバ、またはデータセンタに伝送されてよい。コンピュータ可読記憶媒体は、コンピュータにとってアクセス可能な任意の可用媒体か、または、１または複数の可用媒体を統合するサーバもしくはデータセンタなどのデータ記憶デバイスであってよい。可用媒体は、磁気媒体（例えば、フロッピー（登録商標）ディスク、ハードディスク、または磁気テープ）、光媒体（例えば、ＤＶＤ）、または半導体媒体（例えば、ソリッドステートディスクＳｏｌｉｄ  Ｓｔａｔｅ  Ｄｉｓｋ（ＳＳＤ））などであってよい。
【０１８９】
図１３は、本出願の別の実施形態に係るネットワークデバイス１３００を示す。ネットワークデバイス１３００は、プロセッサ１３０１、メモリ１３０２、および通信モジュール１３０３を備える。
【０１９０】
メモリ１３０２は、ランダムアクセスメモリＲＡＭ、リードオンリメモリＲＯＭ、または消去可能プログラマブルリードオンリメモリＥＰＲＯＭを含むが、それらに限定されない。メモリ１３０２は、関連するプログラムコードおよび関連するデータを記憶するよう構成される。
【０１９１】
プロセッサ１３０１は、１または複数の中央処理装置ＣＰＵであってよい。プロセッサ１３０１が１つのＣＰＵであるとき、ＣＰＵは、シングルコアＣＰＵであってよく、またはマルチコアＣＰＵであってもよい。
【０１９２】
一実装例において、ネットワークデバイス１３００のプロセッサ１２０１は、メモリ１２０２に記憶されたプログラムコードを読み出して以下のオペレーションを行う。
【０１９３】
通信モジュール１３０３は、端末が送信した第１の測定報告を受信するよう構成される。ここで、測定報告を報告するための条件を満たす、第１のセルの第１ビームグループについての情報が、以前の測定報告に含まれる第１のセルのビームについての情報とは異なると端末が決定したとき、第１の測定報告が端末によって送信される。第１の測定報告は、第１ビームグループのビームの識別情報および第１ビームグループのビームの信号品質を含むか、または、第１の測定報告は、第１ビームグループのビームの数量を含むか、または、第１の測定報告は、第１ビームグループのビームの識別情報を含む。
【０１９４】
別の可能な設計において、通信モジュール１３０３は、第１のセルの最初の信号品質と第１のセルの信号品質の決定に使用されるビームの第１の数量とを受信するよう構成される。
【０１９５】
プロセッサ１３０１は、第１のセルの最初の信号品質およびオフセットを参照して第１のセルの信号品質を決定するよう構成される。ここで、オフセットは、第１の数量に基づいて決定される。
【０１９６】
通信モジュール１３０３は、第１の指示情報を端末に送信するよう構成される。ここで、第１の指示情報は、端末が報告する予定の第１の測定報告が第１ビームグループのビームの識別情報および信号品質を含むことを示すために使用されるか、または、第１の指示情報は、当該第１の測定報告が第１ビームグループのビームの数量を含むことを示すために使用されるか、または、第１の指示情報は、当該第１の測定報告が第１ビームグループのビームの識別情報を含むことを示すために使用される。
【０１９７】
通信モジュール１３０３は、第２の指示情報を端末に送信するよう構成される。ここで、第２の指示情報は、端末が報告する予定の第１の測定報告に含まれる識別情報の最大の数量、および／または、当該第１の測定報告に含まれるビームの信号品質値の最大の数量を示すために使用される。
【０１９８】
本出願のこの実施形態については、実施形態５の関連する説明を参照されたい。詳細についてここで再度説明はしない。
【０１９９】
最後に、上述の実施形態は、本出願を限定することではなく、本出願の技術的解決手段を説明することを意図しているに過ぎないことに留意されたい。本出願が上述の実施形態に関連して詳細に説明されているが、当業者であれば、本出願の実施形態の技術的解決手段の範囲から逸脱することなく、さらに、上述の実施形態において説明した技術的解決手段に修正を加え、または、当該技術的解決手段に係る一部もしくは全部の技術的特徴に対して均等物による置き換えを行い得ることを当業者は理解するはずである。
【図１】
2020515170.tif 000003
【図２】
2020515170.tif 000004
【図３】
2020515170.tif 000005
【図４】
2020515170.tif 000006
【図５】
2020515170.tif 000007
【図６】
2020515170.tif 000008
【図７】
2020515170.tif 000009
【図８】
2020515170.tif 000010
【図９】
2020515170.tif 000011
【図１０】
2020515170.tif 000012
【図１１】
2020515170.tif 000013
【図１２】
2020515170.tif 000014
【図１３】
2020515170.tif 000015
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
通信方法であって、
セルの少なくとも１つのビームの信号品質を取得する段階と、
前記少なくとも１つのビームの最も高い信号品質が事前設定閾値を下回る場合、前記少なくとも１つのビームのうちの一ビームの前記最も高い信号品質を前記セルの信号品質として決定する段階と
を備える方法。
【請求項２】
前記少なくとも１つのビームの一ビームの前記最も高い信号品質を前記セルの信号品質として決定する前記段階は、
前記事前設定閾値との差が最も小さい信号品質を有するＸ個のビームの信号品質に基づいて前記セルの前記信号品質を決定する段階であって、前記Ｘ個のビームは前記セルに属し、Ｘは０より大きい整数である、決定する段階を有する、
請求項１に記載の方法。
【請求項３】
Ｘは１に等しい、
請求項２に記載の方法。
【請求項４】
ネットワークデバイスから第１の指示情報を受信する段階であって、前記第１の指示情報は、報告される予定の測定報告に含まれる測定情報を設定するために使用可能である、受信する段階をさらに備える、
請求項１から３のいずれか一項に記載の方法。
【請求項５】
前記測定情報は、ビーム識別子と前記ビーム識別子に関連付けられたビーム測定結果とを含む、
請求項４に記載の方法。
【請求項６】
前記測定情報はビーム識別子を含む、
請求項４に記載の方法。
【請求項７】
第２の指示情報を受信する段階であって、前記第２の指示情報は、前記測定報告において保持されるビーム識別子の最大の数量を設定するために使用可能である、受信する段階をさらに備える、
請求項４から６のいずれか一項に記載の方法。
【請求項８】
請求項１から７のいずれか一項に記載の通信方法を実装するよう構成される通信装置。
【請求項９】
少なくとも１つの命令を備えるコンピュータ可読記憶媒体であって、前記少なくとも１つの命令が実行されると、請求項１から７のいずれか一項に記載の方法を装置に行わせる、コンピュータ可読記憶媒体。
【請求項１０】
メモリおよびプロセッサを備える端末であって、前記メモリは、少なくとも１つの命令を記憶するよう構成され、前記プロセッサは、前記少なくとも１つの命令を実行して請求項１から７のいずれか一項に記載の方法を前記端末に実装させるよう構成される、端末。
【請求項１１】
請求項１０に記載の端末と、前記端末と通信する基地局とを備える通信システム。
【請求項１２】
コンピュータプログラムであって、前記コンピュータプログラムが実行されると、請求項１から７のいずれか一項に記載の方法を装置に実装させる、コンピュータプログラム。
【手続補正２】
【補正対象書類名】明細書
【補正対象項目名】０００１
【補正方法】削除
【補正の内容】
【手続補正３】
【補正対象書類名】明細書
【補正対象項目名】００５０
【補正方法】削除
【補正の内容】
【手続補正４】
【補正対象書類名】明細書
【補正対象項目名】００５４
【補正方法】変更
【補正の内容】
【００５４】
本出願の応用シナリオでは、ネットワークデバイス１０１は、ビームに基づいて、基準信号および／または同期信号（ｓｙｎｃｈｒｏｎｉｚａｔｉｏｎ  ｓｉｇｎａｌ、ＳＳ）を端末１０２に送信する。基準信号は、チャネル状態情報基準信号（Ｃｈａｎｎｅｌ  Ｓｔａｔｅ  Ｉｎｆｏｒｍａｔｉｏｎ‐Ｒｅｆｅｒｅｎｃｅ  Ｓｉｇｎａｌ、ＣＳＩ−ＲＳ）または同様のものであってよい。端末１０２は、サービングセル、同一周波数内隣接セル、異周波数間隣接セル、またはＲＡＴ間隣接セルの基準信号および／または同期信号を測定し、測定結果をネットワークデバイス１０１に報告する。それによって、ネットワークデバイス１０１は、端末１０２のために最も高い信号品質を有するビームまたはセルを構成する。
【手続補正５】
【補正対象書類名】明細書
【補正対象項目名】０１９９
【補正方法】変更
【補正の内容】
【０１９９】
最後に、上述の実施形態は、本出願を限定することではなく、本出願の技術的解決手段を説明することを意図しているに過ぎないことに留意されたい。本出願が上述の実施形態に関連して詳細に説明されているが、当業者であれば、本出願の実施形態の技術的解決手段の範囲から逸脱することなく、さらに、上述の実施形態において説明した技術的解決手段に修正を加え、または、当該技術的解決手段に係る一部もしくは全部の技術的特徴に対して均等物による置き換えを行い得ることを当業者は理解するはずである。
［項目１］
通信方法であって、
第１のセルの各ビームの信号品質を取得する段階と、
上記第１のセルの各ビームの上記信号品質が第１の事前設定閾値を下回るとき、上記第１のセルにおいて最も高い信号品質を有するビームの信号品質に基づいて上記第１のセルの信号品質を決定する段階と
を備える方法。
［項目２］
上記第１のセルにおいて最も高い信号品質を有するビームの信号品質に基づいて上記第１のセルの信号品質を決定する上記段階は、
上記第１の事前設定閾値との差が最も小さい信号品質を有するＸ個のビームの信号品質に基づいて上記第１のセルの上記信号品質を決定する段階であって、上記Ｘ個のビームは上記第１のセルに属し、Ｘは０より大きい整数である、決定する段階を有する、
項目１に記載の方法。
［項目３］
Ｘは１に等しい、
項目２に記載の方法。
［項目４］
通信装置であって、
第１のセルの各ビームの信号品質を取得するよう構成されるユニットと、
上記第１のセルの各ビームの上記信号品質が第１の事前設定閾値を下回るとき、上記第１のセルにおいて最も高い信号品質を有するビームの信号品質に基づいて上記第１のセルの信号品質を決定するよう構成されるユニットと
を備える装置。
［項目５］
上記第１のセルの各ビームの上記信号品質が第１の事前設定閾値を下回るとき、上記第１のセルにおいて最も高い信号品質を有するビームの信号品質に基づいて上記第１のセルの信号品質を決定するよう構成される上記ユニットは、具体的に、
上記第１の事前設定閾値との差が最も小さい信号品質を有するＸ個のビームの信号品質に基づいて上記第１のセルの上記信号品質を決定するよう構成され、上記Ｘ個のビームは上記第１のセルに属し、Ｘは０より大きい整数である、
項目４に記載の装置。
［項目６］
Ｘは１に等しい、
項目５に記載の装置。
［項目７］
通信方法であって、
ネットワークデバイスから指示情報を受信する段階であって、上記指示情報は、端末が報告する予定の測定報告がビーム識別子を保持することを示すために使用されるか、または、上記指示情報は、端末が報告する予定の測定報告がビーム識別子および上記ビームの信号品質を保持することを示すために使用される、受信する段階と、
上記指示情報に基づいて上記測定報告を送信する段階と
を備える方法。
［項目８］
通信装置であって、
ネットワークデバイスから指示情報を受信するよう構成されるユニットであって、上記指示情報は、端末が報告する予定の測定報告がビーム識別子を保持することを示すために使用されるか、または、上記指示情報は、端末が報告する予定の測定報告がビーム識別子および上記ビームの信号品質を保持することを示すために使用される、ユニットと、
上記指示情報に基づいて上記測定報告を送信するよう構成されるユニットと
を備える装置。
［項目９］
通信方法であって、
第１の数量に基づいてオフセットを決定する段階であって、上記第１の数量は、第１のセルの信号品質の決定に使用されるビームの数量である、決定する段階と、
上記オフセットに基づいて上記第１のセルの上記信号品質を決定する段階と
を備える方法。
［項目１０］
第１の数量に基づいてオフセットを決定する上記段階は、
上記第１の数量に基づいて基本測定オフセットであるｄｅｌｔａの係数を決定する段階と、
上記係数に上記ｄｅｌｔａを乗じて上記第１の数量に対応する上記オフセットを取得する段階とを有する、
項目９に記載の方法。
［項目１１］
上記第１の数量に対応する上記オフセットに基づいて上記第１のセルの上記信号品質を決定する上記段階は、ビームに基づいて直接的に取得された信号品質を上記第１の数量に対応する上記オフセットを使用することによって調整して、上記第１のセルの上記信号品質を取得する段階を有する、
項目９または１０に記載の方法。
［項目１２］
上記第１のセルの上記信号品質を送信する段階をさらに備える、
項目９から１１のいずれか一項に記載の方法。
［項目１３］
上記ビームに基づいて直接的に取得された上記信号品質は、上記第１のセルの各ビームの信号品質が第１の事前設定閾値を下回るとき、上記第１のセルにおいて最も高い信号品質を有するビームの信号品質に基づいて取得される、
項目９から１２のいずれか一項に記載の方法。
［項目１４］
上記第１のセルにおいて最も高い信号品質を有する上記ビームは、上記第１の事前設定閾値との差が最も小さい信号品質を有するＸ個のビームであり、上記Ｘ個のビームは上記第１のセルに属し、Ｘは０より大きい整数である、
項目１３に記載の方法。
［項目１５］
Ｘは１に等しい、
項目１４に記載の方法。
［項目１６］
通信装置であって、
第１の数量に基づいてオフセットを決定するよう構成されるユニットであって、上記第１の数量は、第１のセルの信号品質の決定に使用されるビームの数量である、ユニットと、
上記オフセットに基づいて上記第１のセルの上記信号品質を決定するよう構成されるユニットと
を備える装置。
［項目１７］
第１の数量に基づいてオフセットを決定するよう構成される上記ユニットは、具体的に、
上記第１の数量に基づいて基本測定オフセットであるｄｅｌｔａの係数を決定し、
上記係数に上記ｄｅｌｔａを乗じて上記第１の数量に対応する上記オフセットを取得するよう構成される、
項目１６に記載の装置。
［項目１８］
上記オフセットに基づいて上記第１のセルの上記信号品質を決定するよう構成される上記ユニットは、具体的に、ビームに基づいて直接的に取得された信号品質を上記第１の数量に対応する上記オフセットを使用することによって調整して、上記第１のセルの上記信号品質を取得するよう構成される、
項目１６または１７に記載の装置。
［項目１９］
上記第１のセルの上記信号品質を送信するよう構成されるユニットをさらに備える、
項目１６から１８のいずれか一項に記載の装置。
［項目２０］
上記ビームに基づいて直接的に取得された上記信号品質は、上記第１のセルの各ビームの信号品質が第１の事前設定閾値を下回るとき、上記第１のセルにおいて最も高い信号品質を有するビームの信号品質に基づいて取得される信号品質である、
項目１６から１９のいずれか一項に記載の装置。
［項目２１］
上記第１のセルにおいて最も高い信号品質を有する上記ビームは、上記第１の事前設定閾値との差が最も小さい信号品質を有するＸ個のビームであり、上記Ｘ個のビームは上記第１のセルに属し、Ｘは０より大きい整数である、
項目２０に記載の装置。
［項目２２］
Ｘは１に等しい、
項目１４に記載の装置。
［項目２３］
命令を備えるコンピュータ可読記憶媒体であって、コンピュータ上で上記命令が実行されると、上記コンピュータは項目１から３のいずれか一項に記載の方法、項目７に記載の方法、または項目９から１５のいずれか一項に記載の方法を行う、
コンピュータ可読記憶媒体。
［項目２４］
メモリおよびプロセッサを備える端末であって、上記端末は、項目１から３のいずれか一項に記載の方法、項目７に記載の方法、または項目９から１５のいずれか一項に記載の方法を実装するよう構成される、
端末。
［項目２５］
項目２４に記載の端末と、上記端末と通信する基地局とを備える通信システム。
［項目２６］
コンピュータプログラムであって、上記プログラムが実行されると、上記コンピュータは、項目１から３のいずれか一項に記載の方法、項目７に記載の方法、または項目９から１５のいずれか一項に記載の方法を実装する、
コンピュータプログラム。
【手続補正６】
【補正対象書類名】図面
【補正対象項目名】図１２
【補正方法】変更
【補正の内容】
【図１２】
2020515170.tif 000016
【手続補正７】
【補正対象書類名】図面
【補正対象項目名】図１３
【補正方法】変更
【補正の内容】
【図１３】
2020515170.tif 000017
【国際調査報告】
2020515170.tif 000018
2020515170.tif 000019
2020515170.tif 000020
2020515170.tif 000021
2020515170.tif 000022
2020515170.tif 000023